(57)【要約】【課題】使用者が立った姿勢のまま操作できドアの下縁の高さに応じてストッパ部材の高さを容易に調整可能なドアストッパーを提供すること。【解決手段】本考案のドアストッパー１は、底板３０と、底板３０の上面から立設するシャフト２０と、シャフト２０の上部に付設したグリップ４０と、ストッパ部材１０と、を備え、シャフト２０は、シャフト本体２１と、シャフト本体２１の少なくとも下方の外周に設けたネジ山２２と、を有し、ストッパ部材１０は、ネジ山２２に螺着したナット部１２と、ナット部１２と連結した留め板１３であって底板３０に対して傾斜した留め板１３と、を有し、シャフト２０を、ストッパ部材１０に対して軸周りに相対回転することで、底板３０に対する留め板１３の高さを調整可能に構成したことを特徴とする。【選択図】図１
0003232847.tif 000002
【実用新案登録請求の範囲】
【請求項１】
底板と、
前記底板の上面から立設するシャフトと、
前記シャフトの上部に付設したグリップと、
ストッパ部材と、を備え、
前記シャフトは、シャフト本体と、前記シャフト本体の少なくとも下方の外周に設けたネジ山と、を有し、
前記ストッパ部材は、前記ネジ山に螺着したナット部と、前記ナット部と連結した留め板であって前記底板に対して傾斜した留め板と、を有し、
前記シャフトを、前記ストッパ部材に対して軸周りに相対回転することで、前記底板に対する前記留め板の高さを調整可能に構成したことを特徴とする、
ドアストッパー。
【請求項２】
前記ストッパ部材が、基部を有し、前記ナット部が前記基部の一面に固着し、前記留め板が前記基部の側辺から延出し、前記基部が前記ナット部のナット孔と連続する貫通孔を有し、前記シャフトが前記ナット孔と前記貫通孔を連通することを特徴とする、請求項１に記載のドアストッパー。
【請求項３】
前記シャフトが、前記底板に対して、軸周りに回転自在であることを特徴とする、請求項１又は２に記載のドアストッパー。
【請求項４】
前記底板の底面から前記グリップの上部までの距離が、６０ｃｍ〜８０ｃｍの範囲内にあることを特徴とする、請求項１乃至３のいずれか一項に記載のドアストッパー。
【請求項５】
前記留め板の上面及び／又は前記底板の底面に、平面綾織り加工、エンボス加工、平面平目加工、又はゴム被覆加工を施してあることを特徴とする、請求項１乃至４のいずれか一項に記載のドアストッパー。
【請求項６】
前記グリップが、物品を掛けるための掛止構造を有することを特徴とする、請求項１乃至５のいずれか一項に記載のドアストッパー。
【考案の詳細な説明】
【技術分野】
【０００１】
本考案はドアストッパーに関し、特に、使用者が立った姿勢のまま操作でき、ドアの下縁の高さに応じてストッパ部材の高さを容易に調整可能なドアストッパーに関する。
【背景技術】
【０００２】
従来技術のドアストッパーの代表的なものは、合成樹脂製の楔体からなり、開いたドアの下縁と床面との間に楔体の鋭角部を押し込むことで、楔作用によってドアの移動を防止するものである。従来技術にかかるドアストッパーとして、特許文献１〜８が開示されている。
特許文献１〜８のドアストッパーは、ドアを開放した状態でドアの手前に屈み、片手でドアを抑えながら、反対の手でドアの下端と床面の間にドアストッパーを押し込んでドアを留める。
【先行技術文献】
【特許文献】
【０００３】
【特許文献１】特開２００１−３２６０４号公報
【特許文献２】特開２００８−１１５５７３号公報
【特許文献３】特開２００８−２６７０９４号公報
【特許文献４】特開２０１８−３５５２３号公報
【特許文献５】実用新案登録第３００３０３１号公報
【特許文献６】実用新案登録第３０３３３５６号号公報
【特許文献７】実用新案登録第３２０９０８５号号公報
【特許文献８】実開平２−２５６６８号公報
【考案の概要】
【考案が解決しようとする課題】
【０００４】
従来技術のドアストッパーには以下の課題がある。
＜１＞ドア下に手で押し込む際に身を屈めるため、使用者の腰に負担がかかる。例えばホテルの清掃では、客室のドアごとに腰の曲げ伸ばしの繰り返しになるため、作業員の肉体的負担が非常に大きい。
＜２＞靴の爪先でドア下に押し込むこともできるが、楔体の形状が不安定なため横向きに倒れやすく、また鋭角部をドア面に対して垂直方向に向けるのが難しい。
＜３＞ドアを確実に固定するには、楔体をドア下に強く押し込む必要があるが、身体を屈め、片手でドアを押さえた不自然な体勢でこの作業を行うのは難しく、ドアの確実な固定が難しい。
＜４＞床面からドアの下端までの高さが高い場合、ドアの下端が楔体の上部付近にかかることで、楔体の底面が鋭角部から持ち上がって十分な摩擦を発揮できず、ドアを固定することができなくなる。
＜５＞床に置かれ、時に靴で押し込まれる物を手で掴んで扱うため、不衛生である。また、床に屈み込む際に手や膝が床について汚れることがある。
＜６＞小型で足元に置かれるため、紛失しやすく、盗難にあいやすい。
【０００５】
本考案の目的は、以上のような問題点を解決できるドアストッパーを提供することにある。
【課題を解決するための手段】
【０００６】
本考案のドアストッパーは、底板と、底板の上面から立設するシャフトと、シャフトの上部に付設したグリップと、ストッパ部材と、を備え、シャフトは、シャフト本体と、シャフト本体の少なくとも下方の外周に設けたネジ山と、を有し、ストッパ部材は、ネジ山に螺着したナット部と、ナット部と連結した留め板であって底板に対して傾斜した留め板と、を有し、シャフトを、ストッパ部材に対して軸周りに相対回転することで、底板に対する留め板の高さを調整可能に構成したことを特徴とする。
【０００７】
本考案のドアストッパーは、ストッパ部材が、基部を有し、ナット部が基部の一面に固着し、留め板が基部の側辺から延出し、基部がナット部のナット孔と連続する貫通孔を有し、シャフトがナット孔と貫通孔を連通していてもよい。
【０００８】
本考案のドアストッパーは、シャフトが、底板に対して、軸周りに回転自在であってもよい。
【０００９】
本考案のドアストッパーは、底板の底面からグリップの上部までの距離が、６０ｃｍ〜８０ｃｍの範囲内にあってもよい。
【００１０】
本考案のドアストッパーは、留め板の上面及び／又は底板の底面に、平面綾織り加工、エンボス加工、平面平目加工、又はゴム被覆加工を施してあってもよい。
【００１１】
本考案のドアストッパーは、グリップが、物品を掛けるための掛止構造を有していてもよい。
【考案の効果】
【００１２】
本考案のドアストッパーは、上記の構成により次の効果のうち少なくとも一つを備える。
＜１＞シャフト上部のグリップを掴むことで、身を屈めることなく立ったまま操作できる。このため、自然な体勢で容易にドアを固定でき、使用者の肉体的負担を解消することができる。
＜２＞片手でグリップを操作してドア下にストッパ部材の先端を差し込み、反対の手でドアを軽く手前に引くことで、ドアの下端を留め板に乗り上げさせ、容易かつ確実にドアを固定することができる。
＜３＞床面からドアの下端までの高さが高い場合、グリップをシャフトの軸周りに回転させることで、立った姿勢のまま、ストッパ部材の高さを上げてドアを確実に固定することができる。同様にして、ストッパ部材の高さを下方に調整することもできる。
＜４＞グリップを握って立ったまま操作できるため、衛生的である。
＜５＞場所をとらずに立てた状態で保管できる。また、シャフトに一定の長さがあるため、紛失しにくく、盗難にあいにくい。
【図面の簡単な説明】
【００１３】
【図１】本考案のドアストッパーの説明図。
【図２】グリップの説明図。
【図３】グリップの説明図。
【図４】ドアストッパーの使用方法の説明図。
【図５】ドアストッパーの高さ調整機能の説明図。
【図６】実施例２の説明図。
【考案を実施するための形態】
【００１４】
以下、図面を参照しながら本考案のドアストッパーについて詳細に説明する。
【実施例１】
【００１５】
[ドアストッパー]
＜１＞全体の構成（図１）
本考案のドアストッパー１は、ドアＡを開放した状態に固定するための装置である。
ドアストッパー１は、ストッパ部材１０と、シャフト２０と、底板３０と、グリップ４０と、を少なくとも備える。
シャフト２０は、底板３０の上面から上方に立設する。
ストッパ部材１０は、ナット部１２でシャフト２０のネジ山２２に螺着する。
グリップ４０は、シャフト２０の上端部に付設する。
本考案のドアストッパー１は、シャフト２０及びグリップ４０を備える長尺構造により、使用者が立ったままの姿勢で操作でき、容易かつ確実にドアＡを固定できる点、及びストッパ部材１０をシャフト２０に螺着した構造により、シャフト２０の回転によって立ったままストッパ部材１０の高さを調整できる点に特徴を有する。
【００１６】
＜２＞ストッパ部材
ストッパ部材１０は、ドアＡの下縁を押し上げる部材である。
ストッパ部材１０は、板状の基部１１と、基部１１の一面に固定したナット部１２と、基部１１の側辺から延出する板状の留め板１３と、を備える。
ナット部１２は、内側にナット溝を有する部材である。本例ではナット部１２として、基部１１の上面に溶接したナットを採用する。
本例では、基部１１がナット部１２のナット孔と連続する貫通孔を備え、基部１１の貫通孔とナット部１２のナット孔をシャフト２０が連通する。
留め板１３は、底板３０に対して傾斜する。すなわち、留め板１３は基部１１の側辺から基部１１の底面方向に曲折し、シャフト２０に対して板バネ状の形状弾性を発揮する。
本例では基部１１及び留め板１３として、曲げ加工した一体の金属板を採用する。但しこれに限らず、例えば樹脂製の板材を採用してもよい。
【００１７】
＜３＞シャフト
シャフト２０は、ストッパ部材１０のドアＡへの差込みと、ストッパ部材１０の高さ調整を行うための部材である。
シャフト２０は、棒状のシャフト本体２１と、シャフト本体２１の下方の外周に設けたネジ山２２と、を有する。
本例ではシャフト２０として、断面円形のネジ鋼棒を採用する。ただしシャフト２０はこれに限らず、プラスチック、繊維強化プラスチック（ＦＲＰ）等の合成樹脂製等であってもよい。
シャフト２０の長さは、使用者が立って脇に手を垂らした状態から、グリップ４０を掴んで容易に操作できる程度の長さとするのが望ましい。
具体的にはシャフト２０の長さを、底板３０の下面からグリップ４０の上部までの長さが、４０ｃｍ〜１００ｃｍ程度、好ましくは６０ｃｍ〜８０ｃｍ程度になるように設定するとよい。
【００１８】
＜４＞底板
底板３０は、ドアストッパー１を床面上に立設させるための部材である。
本例では底板３０として、金属製の円盤を採用する。
ただし底板３０は金属製に限らず、合成樹脂製であってもよい。また、形状も円形に限らず、正方形その他の多角形状であってもよい。
底板３０の上面の中央から、シャフト２０が立設する。
本例では、シャフト２０を、底板３０に対して軸周りに回転自在に接続する。これによって、後述するストッパ部材１０の高さ調整時に、底板３０を持ち上げることなく、シャフト２０のみを軸周りに回転させることができる。
【００１９】
＜５＞グリップ
グリップ４０は、ドアストッパー１を掴むための部材である。
グリップ４０は、シャフト２０の上端部に付設する。
グリップ４０には、物品を掛けるための掛止部４１と掛止孔４２を設けることができる。
本例ではグリップ４０として、カエルの顔を模した金属製のプレートを採用し、頭部から上方に突起した目を掛止部４１とし、頭部を貫通する口を掛止孔４２とする。
本例では、掛止部４１に鍵Ｋを掛けたり、掛止孔４２に靴べらＳの把手を掛けることで、ドアストッパー１を、キーホルダー、靴べらホルダー、又は荷物掛け等の用途に兼用することができる（図２）。
但しグリップ４０の上記の構成は例示に過ぎず、グリップ４０は合成樹脂製であってもよい。また、グリップ４０の形状は、円筒形、円錐形、角柱形等の幾何学形状、ハート形、人形型等の装飾的形状、握り部を設けた形状、看板型の形状等であってもよい（図３）。
要は、グリップ４０を掴んでストッパ部材１０をドアＡの下部に差込み可能な形状及び構造であればよい。
【００２０】
＜６＞使用方法（図４）
本考案のドアストッパー１の使用方法について説明する。
ドアＡを開けた状態で、グリップ４０を持って、ドアＡと床面との間に、ストッパ部材１０の留め板１３を差し入れる。
続いて、グリップ４０を介して片手でストッパ部材１０の位置を固定したまま、反対の手でドアＡを軽く手前に引く。すると、ドアＡの下縁が留め板１３の上面に乗り上げ、留め板１３が板バネ状に下方に押下げられる弾性反力によって、ドアＡが確実に固定される。
本考案のドアストッパー１は、腰を屈めず立ったまま使用できるため、便利で肉体的負担が少ない。また、ストッパ部材１０に手で触れる必要がないので衛生的である。
【００２１】
＜７＞高さ調整機能（図５）
本考案のドアストッパー１は、以下の手順でストッパ部材１０の高さを調整することができる。
ストッパ部材１０の高さを上げる場合、靴などで留め板１３を軽く押さえながら、シャフト２０の軸周りに、グリップ４０を時計回りに回転する。
すると靴によって回転を規制されたストッパ部材１０が、ナット部１２のナット溝を介してネジ山２２を上ることで、ストッパ部材１０がシャフト２０に沿って上方へ移動する。
ストッパ部材１０の高さを下げたい場合には、同様にストッパ部材１０の回転を規制しつつ、グリップ４０を反時計回りに回転する。
本考案のドアストッパー１は、グリップ４０を操作することによって、立った姿勢のままストッパ部材１０の高さを容易に調整することができる。
【実施例２】
【００２２】
[ストッパ部材に滑り止め加工を施した実施例]
本例では、ストッパ部材１０及び／又は底板３０に滑り止め加工を施す。
滑り止め加工は、留め板１３の上面及び底板３０の底面の少なくとも一方に施す。ここで滑り止め加工とは、留め板１３の上面等を表面処理することの他、滑り止めシートを貼ること、ゴム被覆すること等を含む。
表面処理の例としては、例えば、平面綾目加工、エンボス加工、平面平目加工等がある（図６）。
【符号の説明】
【００２３】
１  ドアストッパー
１０  ストッパ部材
１１  基部
１２  ナット部
１３  留め板
２０  シャフト
２１  シャフト本体
２２  ネジ山
３０  底板
４０  グリップ
４１  掛止部
４２  掛止孔
Ａ  ドア
Ｋ  鍵
Ｓ  靴べら
【図１】
0003232847.tif 000003
【図２】
0003232847.tif 000004
【図３】
0003232847.tif 000005
【図４】
0003232847.tif 000006
【図５】
0003232847.tif 000007
【図６】
0003232847.tif 000008